【手続補正書】
【提出日】平成27年3月25日(2015.3.25)
【手続補正１】
【補正対象書類名】特許請求の範囲
【補正対象項目名】全文
【補正方法】変更
【補正の内容】
【特許請求の範囲】
【請求項１】
２個の剛性部材を中央連結点で回動可能に連結してＸ字状に交差したクロスユニットを形成し、このクロスユニットの複数個を一方向に連ねて互いに対して回動可能に連結した伸縮アームにおいて、
前記各剛性部材は、当該伸縮アームの伸縮軌跡が湾曲線を描くように、前記中央連結点を通過する長手方向軸線に対して、その両端の連結点が長手方向軸線から一方側にずれた位置となる、湾曲形状を有しており、
前記剛性部材は、その長手方向の中央領域が直線形状である、伸縮アーム。
【請求項２】
２個の剛性部材を中央連結点で回動可能に連結してＸ字状に交差したクロスユニットを形成し、このクロスユニットの複数個を一方向に連ねて互いに対して回動可能に連結した伸縮アームにおいて、
前記各剛性部材は、当該伸縮アームの伸縮軌跡が湾曲線を描くように、前記中央連結点を通過する長手方向軸線に対して、その両端の連結点が長手方向軸線から一方側にずれた位置となる、湾曲形状を有しており、
前記剛性部材の両端の連結点は、剛性部材の幅方向にずれており、
前記各剛性部材の両端連結点及び中央連結点を通過する曲線は、均一な曲率半径で湾曲している、伸縮アーム。
【請求項３】
２個の剛性部材を中央連結点で回動可能に連結してＸ字状に交差したクロスユニットを形成し、このクロスユニットの複数個を一方向に連ねて互いに対して回動可能に連結した伸縮アームにおいて、
前記各剛性部材は、当該伸縮アームの伸縮軌跡が湾曲線を描くように、前記中央連結点を通過する長手方向軸線に対して、その両端の連結点が長手方向軸線から一方側にずれた位置となる、湾曲形状を有しており、
前記剛性部材の両端の連結点は、剛性部材の厚み方向にずれると共に、剛性部材の幅方向にもずれている、伸縮アーム。
【請求項４】
前記剛性部材の形状は、その長手方向全体に亘って均一な曲率半径で湾曲している、請求項２または３に記載の伸縮アーム。
【請求項５】
請求項１〜４のいずれかに記載の伸縮アームを用いて作った立体形状物であり、前記伸縮アームを展開させた立体形状が、円筒面、円錐面および球面からなる群から選ばれた面を形成する、立体形状物。
【請求項６】
請求項１〜４いずれかに記載の伸縮アームを用いて作った立体形状物であり、前記伸縮アームを展開させた立体形状が、円弧形状、螺旋形状、アーチ形状および波形状からなる群から選ばれた形状を形成する、立体形状物。
【請求項７】
２個の剛性部材を中央連結点で回動可能に連結してＸ字状に交差したクロスユニットを形成し、このクロスユニットの複数個を一方向に連ねて互いに対して回動可能に連結した伸縮アームを複数個備え、
前記各剛性部材は、当該伸縮アームの伸縮軌跡が湾曲線を描くように、前記中央連結点を通過する長手方向軸線に対して、その両端の連結点が長手方向軸線から一方側にずれた位置となる、湾曲形状を有しており、
前記伸縮アームの複数個を長手方向に交差する幅方向に連結させてパーティションとした、立体形状物。
【請求項８】
伸縮アームと、前記伸縮アームの基端を支持するベース部材と、前記伸縮アームの先端に取り付けられた照明ランプと、前記ベース部材から前記照明ランプにまで延びる電気コードとを備え、
前記伸縮アームは、２個の剛性部材を中央連結点で回動可能に連結してＸ字状に交差したクロスユニットを形成し、このクロスユニットの複数個を一方向に連ねて互いに対して回動可能に連結したものであり、
前記各剛性部材は、前記伸縮アームの伸縮軌跡が湾曲線を描くように、前記中央連結点を通過する長手方向軸線に対して、その両端の連結点が長手方向軸線から一方側にずれた位置となる、湾曲形状を有しており、
前記伸縮アームは、前記ベース部材から前記照明ランプにまで延びる前記電気コードを通過させるための隙間を有しており、
前記剛性部材の両端の連結点は、剛性部材の厚み方向にずれており、
前記照明ランプは、前記伸縮アームの伸縮状態に影響されることなく、同じ位置を照射する、電気スタンド。
【請求項９】
伸縮アームと、前記伸縮アームの先端に取り付けられた照明ランプとを備え、
前記伸縮アームは、２個の剛性部材を中央連結点で回動可能に連結してＸ字状に交差したクロスユニットを形成し、このクロスユニットの複数個を一方向に連ねて互いに対して回動可能に連結したものであり、
前記各剛性部材は、前記伸縮アームの伸縮軌跡が湾曲線を描くように、前記中央連結点を通過する長手方向軸線に対して、その両端の連結点が剛性部材の幅方向にずれた位置となる、湾曲形状を有しており、
前記照明ランプの照射方向は、前記伸縮アームの伸縮状態に影響されることなく、一定である、電気スタンド。
【請求項１０】
ベッドと、
伸縮可能であり、伸ばした状態では、前記ベッドの側部からベッド上に寝ている人の顔の上方にまで大きく湾曲した形状で延在する伸縮アームと、
前記伸縮アームに取り付けられた物品保持用保持部材とを備え、
前記伸縮アームは、２個の剛性部材を中央連結点で回動可能に連結してＸ字状に交差したクロスユニットを形成し、このクロスユニットの複数個を一方向に連ねて互いに対して回動可能に連結したものであり、
前記各剛性部材は、前記伸縮アームの伸縮軌跡が湾曲線を描くように、前記中央連結点を通過する長手方向軸線に対して、その両端の連結点が長手方向軸線から一方側にずれた位置となる、湾曲形状を有しており、
前記伸縮アームの伸縮動作の軌道は、水平面に対して傾斜した角度となるようにされている、物品保持装置。
【請求項１１】
前記剛性部材の両端の連結点は、剛性部材の厚み方向にずれており、
前記物品保持用保持部材は、視覚対象物を保持するものであり、
前記保持台に保持された視覚対象物は、前記伸縮アームの伸縮状態に影響されることなく、ベッド上に寝ている人の顔に向く視覚面を提供する、請求項１０に記載の物品保持装置。
【請求項１２】
ベース部材を備え、
前記伸縮アームの基端は、前記ベース部材に回転可能に支持されている、請求項１０または１１に記載の物品保持装置。
【請求項１３】
ベッドと、
伸縮可能であり、伸ばした状態では、前記ベッドの側部からベッド上に寝ている人の顔の上方にまで大きく湾曲した形状で延在する伸縮アームと、
前記伸縮アームに取り付けられた物品保持用保持部材とを備え、
前記伸縮アームは、２個の剛性部材を中央連結点で回動可能に連結してＸ字状に交差したクロスユニットを形成し、このクロスユニットの複数個を一方向に連ねて互いに対して回動可能に連結したものであり、
前記各剛性部材は、前記伸縮アームの伸縮軌跡が湾曲線を描くように、前記中央連結点を通過する長手方向軸線に対して、その両端の連結点が長手方向軸線から一方側にずれた位置となる、湾曲形状を有しており、
前記伸縮アームと前記物品保持用保持部材との連結構造は、前記伸縮アームの伸縮軌跡となる湾曲線延長方向に対する前記物品保持用保持部材の角度が前記伸縮アームの伸縮動作に応じて変化するように構成されており、
前記伸縮アームの先端に位置する一方の剛性部材が前記物品保持用保持部材に角度的に固定して連結されており、
前記伸縮アームの湾曲線延長方向軸線に対する前記物品保持用保持部材の角度は、前記伸縮アームの伸縮長さに応じて変化する、物品保持装置。
【請求項１４】
伸縮可能であり、伸ばした状態では、大きく湾曲した形状で延在する伸縮アームと、
前記伸縮アームに取り付けられた物品保持用保持台とを備え、
前記伸縮アームは、２個の剛性部材を中央連結点で回動可能に連結してＸ字状に交差したクロスユニットを形成し、このクロスユニットの複数個を一方向に連ねて互いに対して回動可能に連結したものであり、
前記各剛性部材は、前記伸縮アームの伸縮軌跡が湾曲線を描くように、前記中央連結点を通過する長手方向軸線に対して、その両端の連結点が長手方向軸線から一方側にずれた位置となる、湾曲形状を有しており、
前記剛性部材の両端の連結点は、剛性部材の幅方向にずれており、
前記２個の剛性部材のうちの少なくとも一方は、複数個設けられている、物品保持装置。
【請求項１５】
前記剛性部材の両端の連結点は、剛性部材の幅方向にずれると共に、剛性部材の厚み方向にもずれている、請求項１４に記載の物品保持装置。
【請求項１６】
２個の剛性部材を中央連結点で回動可能に連結してＸ字状に交差したクロスユニットを形成し、このクロスユニットの複数個を一方向に連ねて互いに対して回動可能に連結した伸縮アームを複数個備え、これらの複数個の伸縮アームを組み合わせて遊ぶ組合せおもちゃであって、
前記各剛性部材は、当該伸縮アームの伸縮軌跡が湾曲線を描くように、前記中央連結点を通過する長手方向軸線に対して、その両端の連結点が長手方向軸線から一方側にずれた位置となる、湾曲形状を有している、組合せおもちゃ。
【請求項１７】
第１及び第２の剛性部材を中央連結点で回動可能に連結してＸ字状に交差したクロスユニットを形成し、このクロスユニットの複数個を一方向に連ねて互いに対して回動可能に連結した伸縮アームにおいて、
前記各剛性部材は、当該伸縮アームの伸縮軌跡が湾曲線を描くように、前記中央連結点を通過する長手方向軸線に対して、その両端の連結点が長手方向軸線から一方側にずれた位置となる、湾曲形状を有しており、
前記第１の剛性部材は、厚み方向に間隔を空けて配置された一対の剛性要素を含み、前記第２の剛性部材は、前記一対の剛性要素間に挟まれて取り付けられている、伸縮アーム。
【請求項１８】
２個の剛性部材を中央連結点で回動可能に連結してＸ字状に交差したクロスユニットを形成し、このクロスユニットの複数個を一方向に連ねて互いに対して回動可能に連結した伸縮アームを備え、
前記各剛性部材は、当該伸縮アームの伸縮軌跡が湾曲線を描くように、前記中央連結点を通過する長手方向軸線に対して、その両端の連結点が長手方向軸線から剛性部材の厚み方向にずれた位置となる、湾曲形状を有しており、
前記各剛性部材の中央連結点及び両端連結点を通過する３本の厚み方向軸線は、一点に収斂するようにされており、
前記各剛性部材は、前記収斂した点を中心とした各剛性部材の両端の夾角が１８０度となる半円形状を有しており、
前記伸縮アームの展開状態は、球体を形成する、立体形状物。
【請求項１９】
２個の剛性部材を中央連結点で回動可能に連結してＸ字状に交差したクロスユニットを形成し、このクロスユニットの複数個を一方向に連ねて互いに対して回動可能に連結した伸縮アームを複数個備え、
前記各剛性部材は、当該伸縮アームの伸縮軌跡が湾曲線を描くように、前記中央連結点を通過する長手方向軸線に対して、その両端の連結点が長手方向軸線から一方側にずれた位置となる、湾曲形状を有しており、
前記伸縮アームの複数個を長手方向に交差する幅方向に連結させて円筒面を形成した、立体形状物。
【請求項２０】
伸縮アームと、前記伸縮アームの先端に取り付けられた照明ランプとを備え、
前記伸縮アームは、第１及び第２の剛性部材を中央連結点で回動可能に連結してＸ字状に交差したクロスユニットを形成し、このクロスユニットの複数個を一方向に連ねて互いに対して回動可能に連結したものであり、
前記各剛性部材は、前記伸縮アームの伸縮軌跡が湾曲線を描くように、前記中央連結点を通過する長手方向軸線に対して、その両端の連結点が長手方向軸線から一方側にずれた位置となる、湾曲形状を有しており、
前記第１の剛性部材は、厚み方向に間隔を空けて配置された一対の剛性要素を含み、前記第２の剛性部材は、前記一対の剛性要素間に挟まれて取り付けられている、電気スタンド。
【請求項２１】
伸縮アームと、前記伸縮アームの先端に取り付けられた照明ランプとを備え、
前記伸縮アームは、２個の剛性部材を中央連結点で回動可能に連結してＸ字状に交差したクロスユニットを形成し、このクロスユニットの複数個を一方向に連ねて互いに対して回動可能に連結したものであり、
前記各剛性部材は、前記伸縮アームの伸縮軌跡が湾曲線を描くように、前記中央連結点を通過する長手方向軸線に対して、その両端の連結点が長手方向軸線から一方側にずれた位置となる、湾曲形状を有しており、
前記剛性部材の両端の連結点は、剛性部材の厚み方向にずれると共に、剛性部材の幅方向にもずれている、電気スタンド。
【請求項２２】
２個の剛性部材を中央連結点で回動可能に連結してＸ字状に交差したクロスユニットを形成し、このクロスユニットの複数個を一方向に連ねて互いに対して回動可能に連結した第１の伸縮アームと、
２個の剛性部材を中央連結点で回動可能に連結してＸ字状に交差したクロスユニットを形成し、このクロスユニットの複数個を一方向に連ねて互いに対して回動可能に連結し、最も端に位置するクロスユニットを前記第１の伸縮アームの途中位置に連結して前記第１の伸縮アームから枝分かれして延びる第２の伸縮アームとを備え、
前記各剛性部材は、当該伸縮アームの伸縮軌跡が湾曲線を描くように、前記中央連結点を通過する長手方向軸線に対して、その両端の連結点が長手方向軸線から一方側にずれた位置となる、湾曲形状を有している、枝分かれ伸縮アーム構造。